(57)【特許請求の範囲】
【請求項１】
防護区画に設置する開放型のスプリンクラーヘッドを多方継手により配管に分岐接続した消火設備に於いて、
前記スプリンクラーヘッドを配置した防護区画の火災による感熱を検出する感熱部と、
前記多方継手に分岐接続したスプリンクラーヘッドに対する分岐流路を開閉する制御弁と、
前記感熱部により火災による感熱を検出した場合に前記制御弁を開制御して前記スプリンクラーヘッドから放水し、放水中に前記感熱部により火災による感熱を検出しなくなった場合に前記制御弁を閉制御して前記スプリンクラーヘッドからの放水を停止する制御部と、
前記多方継手内を流れる水流を利用して発電する発電部と、
前記発電部で発電した電力を蓄えると共に前記感熱部、前記制御弁及び前記制御部に動作電源を供給する蓄電部と、
を備え、
前記制御弁、前記制御部、前記発電部及び前記蓄電部を、前記多方継手と一体に設けたことを特徴とする消火設備。
【請求項２】
請求項１記載の消火設備に於いて、
前記多方継手は、１次側の流入口と２次側の流出口を両端に配置した直管部分となる継手本体に直交する方向に分岐口を配置した分岐部を一体に設けたＴ型継手であり、
前記Ｔ型継手の分岐口に前記スプリンクラーヘッドを接続すると共に前記分岐部の手前となる前記継手本体の１次側に前記発電部の水車を配置したことを特徴とする消火設備。
【請求項３】
請求項１記載の消火設備に於いて、
前記感熱部は火災による温度を検出する熱電対又はサーミスタを含む温度検出素子であり、
前記制御部は前記温度検出素子による検出温度が所定の第１閾値以上となった場合に前記制御弁を開制御して前記スプリンクラーヘッドから放水し、前記スプリンクラーヘッドからの放水中に前記温度検出素子による検出温度が前記第１閾値より低い所定の第２閾値以下となった場合に前記制御弁を閉制御して放水を停止することを特徴とする消火設備。
【請求項４】
請求項１記載の消火設備に於いて、
前記感熱部は感熱温度が所定の閾値を超えた場合にオンし、前記感熱温度が前記閾値を下回った場合にオフするバイメタル又は形状記憶金属を含む感熱変形部材を使用した感熱スイッチであり、
前記制御部は前記感熱スイッチのオンを検出した場合に前記制御弁を開制御して前記スプリンクラーヘッドから放水し、前記スプリンクラーヘッドからの放水中に前記感熱スイッチのオフを検出した場合に前記制御弁を閉制御して放水を停止することを特徴とする消火設備。
【請求項５】
請求項１記載の消火設備に於いて、前記制御弁を、電磁ソレノイドを通電しているあいだ開状態を維持し、前記電磁ソレノイドの通電を停止した場合に閉状態となる電磁弁としたことを特徴とする消火設備。
【請求項６】
請求項１記載の消火設備に於いて、前記制御弁を、電磁ソレノイドの通電により弁体を備えた駆動軸を開位置に移動して保持し、前記電磁ソレノイドの逆方向の通電により前記駆動軸の保持を解除して閉位置に移動するラッチ構造を備えた電磁弁としたことを特徴とする消火設備。
【請求項７】
請求項１記載の消火設備に於いて、
前記制御弁は、
シリンダ室に対する加圧水の供給によるピストンの駆動により前記スプリンクラーヘッドを接続した分岐口に対する流路に設けた弁体を開駆動する一斉開放弁と、
前記制御部により開制御した場合に前記一斉開放弁の前記シリンダ室に加圧水を供給して開駆動する電磁弁と、
前記電磁弁と前記一斉開放弁のシリンダ室を接続する配管に分岐接続した排水管に設けられ、前記電磁弁を閉鎖した場合に前記一斉開放弁のシリンダ室の加圧水を排水して前記一斉開放弁を閉駆動させるオリフィスと、
を備えたことを特徴とする消火設備。
【請求項８】
請求項１記載の消火設備に於いて、前記スプリンクラーヘッドを分岐接続する多方継手を設けた前記配管は上水道配管であり、前記多方継手の後流側の前記上水道配管に日常的に上水道水を使用する設備機器を接続し、前記多方継手内の水流による前記発電部の発電を可能としたことを特徴とする消火設備。
【請求項９】
請求項１記載の消火設備に於いて、前記多方継手の後流側の前記配管の末端に、開放操作により排水管に前記スプリンクラーヘッドからの放水に相当する水を流す末端試験弁を設けたことを特徴とする消火設備。
【請求項１０】
請求項１記載の消火設備に於いて、前記制御部は、前記スプリンクラーヘッド又はその近傍に設けた表示灯を点灯又は点滅して動作表示することを特徴とする消火設備。
【発明の詳細な説明】
【技術分野】
【０００１】
本発明は、例えば上水道を供給する配管に、弁の開制御により放水する開放型のスプリンクラーヘッドを設けた消火設備に関する。
【背景技術】
【０００２】
従来、一般住宅、共同住宅、グループホームなどでは、上水道と同じ配管に閉鎖型のスプリンクラーヘッドを接続し、火災時に上水道を使用して消火を行う消火設備が知られている（特許文献１）。
【０００３】
ここで、一般住宅のスプリンクラーヘッドへの水圧は例えば０．０５ＭＰａが要求されており、上水道からの０．０５ＭＰａを超える給水圧力が確保できることで、火災時に充分な消火性能を得ることができる。
【０００４】
しかし、閉鎖型スプリンクラーヘッドを使用した消火設備にあっては、閉鎖型スプリンクラーヘッドに物が当たって破損した場合の水漏れが懸念されており、また、閉鎖型スプリンクラーヘッドの感熱部には、低融点半田などの可溶部材を使用しているため、火災による熱気流を受けてから可溶部材が溶けるまでに時間がかかり、迅速な消火ができない恐れがある。更に、閉鎖型スプリンクラーヘッドは一度放水を始めたら、配管に設けている仕切弁を操作して手動で止めるしか方法がないという問題がある。
【０００５】
この問題を解決するためには、閉鎖型スプリンクラーヘッドに代えて開放型のスプリンクラーヘッドを設ければ良い。開放型スプリンクラーヘッドを設けた従来の消火設備にあっては、防護区画毎に開放型スプリンクラーヘッド、火災感知器及び中継器を設置すると共に開放型スプリンクラーヘッド毎に設けた配管に電動弁を設け、更に、中継器を制御盤に接続して監視制御可能とし、火災感知器により火災を検出した場合に中継器に火災検出信号を送り、火災検出信号を受信した中継器が電動弁を開制御し、開放型スプリンクラーヘッドから放水するようにしている（特許文献２）。
【先行技術文献】
【特許文献】
【０００６】
【特許文献１】特開２０１２−０９５７９４号公報
【特許文献２】特開２０１２−１７９３３０号公報
【発明の概要】
【発明が解決しようとする課題】
【０００７】
しかしながら、このような開放型スプリンクラーヘッドを使用した従来の消火設備にあっては、防護区画に設けた開放型スプリンクラーヘッドに対し専用の配管を設けて電動弁を配置する必要があり、多数の分岐配管を設けなければならないことから、Ｔ型継手を使用して閉鎖型スプリンクラーヘッドを分岐接続した場合に比べ、配管構成がかなり複雑となる。
【０００８】
この配管構成が複雑になる問題は、配管にＴ型継手を設け、Ｔ型継手からの分岐配管に電動弁を介して開放型スプリンクラーヘッドを接続することにより解消できるが、電装系統として、防護区画毎に火災感知器、電動弁及び中継器を設け、中継器を制御盤に接続しており、また制御盤にはバッテリーを使用した予備電源を設けて商用交流電源の停電に対応する必要があり、電装系統を必要としない閉鎖型スプリンクラーヘッドを使用した消火設備に比べ、電装系統を必要とする分、設備構成が複雑になる。
【０００９】
このため開放型スプリンクラーヘッドを使用した従来の消火設備は、配管系統及び伝送系統による設備構成の複雑化に伴い設備コストが嵩み、一般住宅、共同住宅、グループホームなどの小規模な施設向けとしての実用化に課題が残されている。
【００１０】
本発明は、外部の電源や制御機器を必要とすることなく、開放型スプリンクラーヘッドからの放水と放水停止の制御動作を可能とする消火設備を提供することを目的とする。
【課題を解決するための手段】
【００１１】
（消火設備）
本発明は、防護区画に設置する開放型のスプリンクラーヘッドを多方継手により配管に分岐接続した消火設備に於いて、
スプリンクラーヘッドを配置した防護区画の火災による感熱を検出する感熱部と、
多方継手に分岐接続したスプリンクラーヘッドに対する分岐流路を開閉する制御弁と、
感熱部により火災による感熱を検出した場合に制御弁を開制御してスプリンクラーヘッドから放水し、放水中に感熱部により火災による感熱を検出しなくなった場合に制御弁を閉制御してスプリンクラーヘッドからの放水を停止する制御部と、
多方継手内を流れる水流を利用して発電する発電部と、
発電部で発電した電力を蓄えると共に感熱部、制御弁及び制御部に動作電源を供給する蓄電部と、
を備え、
制御弁、制御部、発電部及び蓄電部を、多方継手と一体に設けたことを特徴とする。
【００１２】
（Ｔ型継手の１次側に発電部を配置）
多方継手は、１次側の流入口と２次側の流出口を両端に配置した直管部分となる継手本体に直交する方向に分岐口を配置した分岐部を一体に設けたＴ型継手であり、
Ｔ型継手の分岐口にスプリンクラーヘッドを接続すると共に分岐部の手前となる継手本体の１次側に発電部の水車を配置する。
【００１３】
（温度検出素子による放水制御）
感熱部は火災による温度を検出する熱電対又はサーミスタを含む温度検出素子であり、
制御部は温度検出素子による検出温度が所定の第１閾値以上となった場合に制御弁を開制御してスプリンクラーヘッドから放水し、スプリンクラーヘッドからの放水中に温度検出素子による検出温度が第１閾値より低い所定の第２閾値以下となった場合に制御弁を閉制御して放水を停止する。
【００１４】
（感熱スイッチによる放水制御）
感熱部は感熱温度が所定の閾値を超えた場合にオンし、感熱温度が閾値を下回った場合にオフするバイメタル又は形状記憶金属を含む感熱変形部材を使用した感熱スイッチであり、
制御部は感熱スイッチのオンを検出した場合に制御弁を開制御してスプリンクラーヘッドから放水し、スプリンクラーヘッドからの放水中に感熱スイッチのオフを検出した場合に制御弁を閉制御して放水を停止する。
【００１５】
（電磁弁）
制御弁を、電磁ソレノイドを通電しているあいだ開状態を維持し、電磁ソレノイドの通電を停止した場合に閉状態となる電磁弁とする。
【００１６】
（ラッチ式電磁弁）
制御弁を、電磁ソレノイドの通電により弁体を備えた駆動軸を開位置に移動して保持し、電磁ソレノイドの逆方向の通電により駆動軸の保持を解除して閉位置に移動するラッチ構造を備えた電磁弁とする。
【００１７】
（一斉開放弁による放水制御）
制御弁は、
シリンダ室に対する加圧水の供給によるピストンの駆動によりスプリンクラーヘッドを接続した分岐口に対する流路に設けた弁体を開駆動する一斉開放弁と、
制御部により開制御した場合に一斉開放弁のシリンダ室に加圧水を供給して開駆動する電磁弁と、
電磁弁と一斉開放弁のシリンダ室を接続する配管に分岐接続した排水管に設けられ、電磁弁を閉鎖した場合に一斉開放弁のシリンダ室の加圧水を排水して一斉開放弁を閉駆動させるオリフィスと、
を備える。
【００１８】
（一般設備機器の使用による発電）
スプリンクラーヘッドを分岐接続する多方継手を設けた配管は上水道配管であり、多方継手の後流側の上水道配管に日常的に上水道水を使用する設備機器を接続し、多方継手内の水流による発電部の発電を可能とする。
【００１９】
（末端試験弁）
多方継手の後流側の配管の末端に、開放操作により排水管にスプリンクラーヘッドからの放水に相当する水を流す末端試験弁を設ける。
【００２０】
（動作表示灯）
制御部は、スプリンクラーヘッド又はその近傍に設けた表示灯を点灯又は点滅して動作表示する。
【発明の効果】
【００２１】
（基本的な効果）
本発明は、防護区画に設置する開放型のスプリンクラーヘッドを多方継手により配管に分岐接続した消火設備に於いて、スプリンクラーヘッドを配置した防護区画の火災による感熱を検出する感熱部と、多方継手に分岐接続したスプリンクラーヘッドに対する分岐流路を開閉する制御弁と、感熱部により火災による感熱を検出した場合に制御弁を開制御してスプリンクラーヘッドから放水し、放水中に感熱部により火災による感熱を検出しなくなった場合に制御弁を閉制御してスプリンクラーヘッドからの放水を停止する制御部と、多方継手内を流れる水流を利用して発電する発電部と、発電部で発電した電力を蓄えると共に感熱部、制御弁及び制御部に動作電源を供給する蓄電部とを備え、制御弁、制御部、発電部及び蓄電部を、多方継手と一体に設けるようにしたため、放水制御機能を備えた多方継手として配管に設けて開放型のスプリンクラーヘッドを分岐接続して感熱部を信号線接続するだけで、火災による熱気流を受けた場合に放水を自動的に開始し、消火により火災による熱気流を受けなくなった場合に自動的に放水を停止する放水制御が実現でき、また、多方継手内を流れる水流により発電した電力により動作することから、外部電源を必要とせず、また商用電源の停電による影響もなく、上水道等の加圧水が供給されている限り確実に動作して火災を消火可能とする。
【００２２】
また、設備機器として、放水制御機能を備えた多方継手として取り扱うことを可能とし、配管に対する設置が容易で、外部との配線はスプリンクラーヘッド側に設けた感熱部との配線のみで済み、また、制御盤等の他の設備機器は不要となり、設備構成が簡単でコストも低減できる。
【００２３】
（Ｔ型継手の１次側に発電部を配置した効果）
また、多方継手は、１次側の流入口と２次側の流出口を両端に配置した直管部分となる継手本体に直交する方向に分岐口を配置した分岐部を一体に設けたＴ型継手であり、Ｔ型継手の分岐口にスプリンクラーヘッドを接続すると共に分岐部の手前となる継手本体の１次側に発電部の水車を配置とするようにしたため、Ｔ型継手の分岐口に接続したスプリンクラーヘッドからの放水中にも、発電部の水車を水流により回転駆動して発電可能とし、確実に制御弁の開制御を維持し、また、感熱部による感熱温度の監視を可能とする。
【００２４】
（温度検出素子による放水制御の効果）
また、感熱部は火災による温度を検出する熱電対又はサーミスタを含む温度検出素子であり、制御部は温度検出素子による検出温度が所定の第１閾値以上となった場合に制御弁を開制御してスプリンクラーヘッドから放水し、スプリンクラーヘッドからの放水中に温度検出素子による検出温度が第１閾値より低い所定の第２閾値以下となった場合に制御弁を閉制御して放水を停止するようにしたため、閉鎖型スプリンクラーヘッドの可溶部材の溶解による放水開始に対し、火災による熱気流を受けた場合に迅速に放水を開始することができ、また消火により火災による熱気流を受けなくなった場合には、検出温度が第１閾値より低い第２閾値以下に下がった場合に放水を停止することで、消火を確実に検出してから放水を停止することを可能とする。
【００２５】
（感熱スイッチによる放水制御の効果）
また、感熱部は感熱温度が所定の閾値を超えた場合にオンし、感熱温度が閾値を下回った場合にオフするバイメタル又は形状記憶金属を含む感熱変形部材を使用した感熱スイッチであり、制御部は感熱スイッチのオンを検出した場合に制御弁を開制御してスプリンクラーヘッドから放水し、スプリンクラーヘッドからの放水中に感熱スイッチのオフを検出した場合に制御弁を閉制御して放水を停止するようにしたため、温度検出素子の場合と同様、閉鎖型スプリンクラーヘッドの可溶部材の溶解による放水開始に対し、火災による熱気流を受けて感熱スイッチがオンした場合に迅速に放水を開始することができ、また、消火により火災による熱気流を受けなくなって感熱スイッチがオフした場合に放水を停止することで、消火を確実に検出してから放水を停止することを可能とする。
【００２６】
（電磁弁による効果）
また、制御弁を、電磁ソレノイドを通電しているあいだ開状態を維持し、ソレノイドの通電を停止した場合に閉状態となる電磁弁とするようにしたため、電磁弁は電磁ソレノイドの通電で瞬時に開放し、また電磁ソレノイドの通電停止で瞬時に閉鎖することから、放水開始と放水停止を迅速に行うことを可能とする。また、放水中は電磁弁を開位置に保持するために電磁ソレノイドの通電を継続することになるが、放水による水流で発電を行っているため、電磁ソレノイドの通電維持に必要な電力が確実に得られ、開状態で電力を必要とする電磁弁を使用しても、確実にスプリンクラーヘッドからの放水を継続可能とする。
【００２７】
（ラッチ式電磁弁による効果）
また、制御弁を、電磁ソレノイドの通電により弁体を備えた駆動軸を開位置に移動して保持し、電磁ソレノイドの逆方向の通電により駆動軸の保持を解除して閉位置に移動するラッチ構造を備えた電磁弁（ラッチ式電磁弁）としたため、電磁弁を開位置に保持するために電磁ソレノイドに通電し続ける必要がなく、蓄電部の電流消費を抑えることができる。
【００２８】
（一斉開放弁による放水制御の効果）
また、制御弁は、シリンダ室に対する加圧水の供給によるピストンの駆動によりスプリンクラーヘッドを接続した分岐口に対する流路に設けた弁体を開駆動する一斉開放弁と、制御部により開制御した場合に一斉開放弁のシリンダ室に加圧水を供給して開駆動する電磁弁と、電磁弁と一斉開放弁のシリンダ室を接続する配管に分岐接続した排水管に設けられ、電磁弁を閉鎖した場合に一斉開放弁のシリンダ室の加圧水を排水して一斉開放弁を閉駆動させるオリフィスとを備えようにしたため、電磁弁は一斉開放弁を開閉制御に必要な少ない水量を制御することから小型化でき、電磁弁を小型化しても一斉開放弁のピストンシリンダ機構による弁体の開閉によりスプリンクラーヘッドからの放水に必要な水量の開閉を確実に可能とする。
【００２９】
（一般設備機器の使用による発電の効果）
また、スプリンクラーヘッドを分岐接続する多方継手を設けた配管は上水道配管であり、多方継手の後流側の上水道配管に日常的に上水道水を使用する設備機器を接続し、多方継手内の水流による発電部の発電を可能とするようにしたため、日常的な水洗トイレ等の設備機器の使用により流れる水により発電を行って蓄電することで十分な電力を確保し、火災が発生した場合に確実に動作することを可能とする。
【００３０】
（末端試験弁による効果）
また、多方継手の後流側の配管の末端に、開操作により排水管にスプリンクラーヘッドからの放水に相当する水を流す末端試験弁を設けるようにしたため、必要に応じてスプリンクラ―ヘッド１台からの放水に相当する水を配管に流す放水試験が可能となり、また、配管に水が流れていない止水状態となっている場合には、末端試験弁の開放により水を流して止水を防止し、同時に、多方継手内の水流により発電を行って蓄電を可能とする。
【００３１】
（動作表示灯）
また、制御部は、スプリンクラーヘッド又はその近傍に設けた表示灯を点灯又は点滅して動作表示するようにしため、多方継手に設けた放水制御機能が発電した電力により動作状態にあることが、表示灯の点灯又は点滅による動作表示を見て確認でき、また、表示灯が消灯している場合には、多方継手に設けた放水制御機能に障害が起きていることが予想され、適切に対処可能とする。
【図面の簡単な説明】
【００３２】
【図１】消火設備の概要を示した説明図
【図２】放水制御機能を備えたＴ型継手の実施形態を示した説明図
【図３】Ｔ型継手に設けた放水制御機能の構成を示した説明図
【図４】一斉開放弁による放水制御機能を備えたＴ型継手の他の実施形態を示した説明図
【発明を実施するための形態】
【００３３】
［消火設備の概要］
図１は本発明による消火設備の概要を示した説明図である。図１において、例えば一般住宅に引き込まれた上水道配管１０は一般設備配管１０ａと消火設備配管１０ｂに分岐している。一般設備配管１０ａには、手洗１２や浴槽１５に対する蛇口１６を接続している。
【００３４】
消火設備配管１０ｂには、放水制御機能を備えた多方継手としてＴ型継手１８を使用して例えば部屋毎に分けて開放型のスプリンクラーヘッド２０を分岐接続しており、消火設備配管１０ｂの末端はトイレ１４の給水タンクを接続している。また、消火設備配管１０ｂの末端には排水管１０ｃを分岐接続し、排水管１０ｃに末端試験弁２２とオリフィス２４を設け、末端試験弁２２の１次側には圧力計２３を設けている。オリフィス２４は末端試験弁２２を開操作した場合に、１台のスプリンクラーヘッド２０の放水流量に相当する水を流す。
【００３５】
Ｔ型継手１８は、火災による熱気流を受けた場合の温度が所定の火災温度に達したことを検出して内蔵した制御弁を開制御してスプリンクラーヘッド２０から水道水を自動的に放水すると共に、放水中に温度が所定の火災温度以下に低下したことを検出して自動的に放水を停止する制御を行うものであり、また、放水制御を行う回路部や機器の電力は、Ｔ型継手１８内を流れる水流を利用した発電により得ている。
【００３６】
［Ｔ型継手の実施形態］
図２は放水制御機能を備えたＴ型継手の実施形態を示した説明図、図３はＴ型継手に設けた放水制御機能の構成を示した説明図である。
【００３７】
（Ｔ型継手の装置構成）
図２に示すように、Ｔ型継手１８は、１次側に流入口を備え２次側に流出口を備えた直管部分となる継手本体１８ａと、これに直交する方向に配置した分岐部１８ｂにより継手部分を構成し、この継手部分と一体に継手筐体１８ｃを設けている。継手筐体１８ｃ内には発電部２６、電磁弁３０及び回路収納部４２を設けている。
【００３８】
分岐部１８ｂの先端は天井３６に形成した取付穴３８に位置し、取付穴３８を介して開放型のスプリンクラーヘッド２０を接続し、取付穴３８との隙間を隠すためカバー２１を室内側に装着している。
【００３９】
継手本体１８ａにおける分岐部１８ｂの手前となる１次側には発電部２６を配置し、発電部２６はステータとロータを備えた例えば直流発電機（整流子発電機）または交流発電機とオルタネータを組み合わせたものであり、ロータの回転軸を継手内に入れ、そこに水車２８を取付け、継手内を流れる水流による水車２８の回転で発電部２６を作動して発電電力を得るようにしている。
【００４０】
分岐部１８ｂに相対した継手本体１８ａの位置には電磁弁３０を配置し、分岐部１８ｂの流入口に形成した弁座に対し電磁弁３０の駆動軸により開閉動作する弁体３２を配置している。電磁弁３０は電磁ソレノイドを内蔵しており、電磁ソレノイドに通電していない場合はスプリングの力による駆動軸の押圧で弁体３２を弁座に当接して分岐部１８ｂに対する流路を閉鎖しており、電磁ソレノイドに通電するとスプリングに抗して駆動軸を電磁力により引き上げることにより弁体３２を弁座から離して流路を開放する。
【００４１】
Ｔ型継手１８の分岐部１８ｂの先端に装着したスプリンクラーヘッド２０の天井３６の室内面（下面）から所定高さ離れた位置には感熱部４０を設けている。感熱部４０は温度検出素子として例えば熱電対やサーミスタ等を使用し、周囲温度に応じて変化する温度検出信号を出力する。
【００４２】
感熱部４０として熱電対を用いた場合、ゼーベック効果により温度により変化する起電力に応じた温度検出信号を出力する。また、感熱部４０としてサーミスタを用いた場合には温度により変化する抵抗値に応じた温度検出信号を出力する。
【００４３】
また、感熱部４０としては、バイメタルや形状記憶金属等の温度変形部材を用いた感熱スイッチを設けても良い。バイメタルを用いた感熱スイッチは、所定の火災温度を超えた場合の変位でスイッチ接点をオンし、その後に火災温度以下に低下すると変位が戻ってスイッチ接点をオフする。
【００４４】
また形状記憶金属を用いた感熱スイッチは、所定の火災温度で変位するように形状を記憶しておくことで、所定の火災温度を超えた場合の記憶形状への変位でスイッチ接点をオンし、その後に火災温度以下に低下して記憶応力が失われた状態でのスプリングの力により元の形状に復元してスイッチ接点をオフする。
【００４５】
また、スプリンクラーヘッド２０の近傍となるカバー２１には表示灯４８を設けており、Ｔ型継手１８が動作可能状態にあることを表示可能としている。
【００４６】
（Ｔ型継手の機能構成）
図２の回路収納部４２には、図３に示すように、蓄電部４４と制御部４６を設けている。蓄電部４４に対しては発電部２６を逆流阻止用のダイオード５０を介して接続している。蓄電部４４はリチウム電池等の二次電池とその充放電回路を設けており、発電部２６の作動で発電した電力を蓄電すると共にダイオード５２を介して制御部４６、電磁弁３０、感熱部４０及び表示灯４８を含む各回路部及び機器に電源を供給して動作可能としている。
【００４７】
制御部４６には感熱部４０を入力接続し、また、出力側に電磁弁３０と表示灯４８を負荷として接続している。
【００４８】
制御部４６は、感熱部４０として、熱電対又はサーミスタ等の温度検出素子を使用した場合、感熱部４０による検出温度が火災を判断する所定の第１閾値以上となった場合に電磁弁３０を開制御してスプリンクラーヘッド２０から放水し、スプリンクラーヘッド２０からの放水中に感熱部４０による検出温度が第１閾値より低い所定の第２閾値以下となった場合に電磁弁３０を閉制御して放水を停止する制御を行う。
【００４９】
このように放水を開始する第１閾値の温度に対し、放水を停止する第２閾値の温度を低い値とすることで、スプリンクラーヘッド２０からの放水により火災が鎮火したことの判断を確実にすることを可能とし、鎮火する前に放水を停止してしまうことを抑止可能とする。
【００５０】
また、制御部４６は、感熱部４０として、バイメタル又は形状記憶金属等を用いた感熱スイッチを使用した場合、感熱部４０の熱気流により受ける温度が火災を判断する所定の閾値以上となって感熱スイッチのオンを検出した場合に、電磁弁３０を開制御してスプリンクラーヘッド２０から放水し、スプリンクラーヘッド２０からの放水中に感熱部４０の受ける温度が所定の閾値以下となって感熱スイッチのオフを検出した場合に電磁弁３０を閉制御して放水を停止する制御を行う。
【００５１】
ここでスプリンクラーヘッド２０からの放水による消火で感熱部４０の周囲温度が低下した場合、温度が閾値以下に下がってから感熱スイッチがオフするまでには時間遅れがあることから、この遅れ時間の間も放水が継続し、鎮火する前に放水を停止してしまうことを抑止可能とする。
【００５２】
また、制御部４６は、蓄電部４４から電源供給を受けて動作可能状態となっている場合、図２に示したように、スプリンクラーヘッド２０のカバー２１に設けている表示灯４８を点灯又は点滅する制御を行っており、利用者は、表示灯４８の点灯又は点滅による動作表示を見て、放水制御機能が正常に動作していることを日常的に確認でき、もし、表示灯４８が消灯している場合には、何らかの障害が発生したことを知り、保守会社や代理店等に連絡して修理等の対処を可能とする。
【００５３】
放水制御機能を備えたＴ型継手１８の障害としては例えば蓄電部４４の充電上がりがあり、発電部２６の障害が想定されることから、この場合、係員は、図１の消火設備配管１０ｂの末端に設けた末端試験弁２２を開いて排水管１０ｃに水道水を流し、その水流で発電部２６を作動して発電し、これにより表示灯４８が点灯又は点滅しない場合は、発電部２６の障害と判断して必要な対応をとることが可能となる。
【００５４】
（Ｔ型継手の動作）
図２に示すように、通常状態でＴ型継手１８の制御部４６は、電磁弁３０を閉制御状態にあり、弁体３２を閉鎖位置として分岐部１８ｂに接続したスプリンクラーヘッド２０に対する水道水の供給を停止している。
【００５５】
また、図１に示したように、消火設備配管１０ｂの末端側はトイレ１４の水タンクに接続しており、トイレ１４を使用して水を流した場合、水タンクに消火設備配管１０ｂを介して水道水が流れ、このときＴ型継手１８内を流れる水流により水車２８が回転して発電部２６を作動し、発電部２６で発電した電力で蓄電部４４を充電しており、日常的な一般設備機器の使用によりＴ型継手１８で発電して電力を蓄電している。
【００５６】
一方、火災が発生し、天井３６の下面に沿って火災により上昇した熱気流が拡散してスプリンクラーヘッド２０が設置されているところに流れると、制御部４６はスプリンクラーヘッド２０に設けている例えば温度検出素子を設けた感熱部４０による温度検出が第１閾値以上となった場合に電磁弁３０を開制御し、分岐部１８ｂに設けたスプリンクラーヘッド２０から水道水を放水して消火する。この消火により感熱部４０の検出温度が低下し、制御部４６は検出温度が第１閾値より小さい第２閾値以下となった場合に電磁弁３０を閉制御し、スプリンクラーヘッド２０からの放水を停止する。
【００５７】
［Ｔ型継手の実施形態］
図４は一斉開放弁による放水制御機能を備えたＴ型継手の他の実施形態を示した説明図である。
【００５８】
（Ｔ型継手の装置構成）
図４に示すように、本実施形態のＴ型継手１８は、継手本体１８ａに直交した分岐部１８ｂの流入部に一斉開放弁６０を設けている。一斉開放弁６０は、シリンダ室６２にピストン６４を摺動自在に設け、ピストン６４の背後（図示の右側）にリターンスプリング６８を配置し、ピストン６４の駆動軸には弁体６６を設け、流入部の仕切壁に設けた弁座に当接して閉鎖状態としている。
【００５９】
シリンダ室６２に対しては継手本体１８ａから配管を接続し、この配管の途中に電磁弁３０を設けている。また、電磁弁３０とシリンダ室６２との間の配管に排水管１０ｃを分岐接続しており、この排水管１０ｃにはオリフィス７０を設けている。
【００６０】
それ以外の構成及び機能は図２及び図３に示した実施形態と同じになることから、同一符号を付して説明は省略する。
【００６１】
（Ｔ型継手の動作）
図４に示すように、通常状態でＴ型継手１８の制御部４６は、電磁弁３０を閉制御状態にあり、一斉開放弁６０のシリンダ室６２に対する継手本体１８ａからの加圧水の供給は行わず、シリンダ室６２は排水管１０ｃのオリフィス７０を介して加圧水を抜いた状態にあり、リターンスプリング６８の力でピストン６４を介して弁体６６を弁座に押圧して流路を閉じ、分岐部１８ｂに接続したスプリンクラーヘッド２０に対する水道水の供給を停止している。
【００６２】
一方、火災が発生し、天井３６の面に沿って火災により上昇した熱気流が拡散してスプリンクラーヘッド２０が設置されているところに流れると、制御部４６はスプリンクラーヘッド２０に設けている例えば温度検出素子を使用した感熱部４０による温度検出が第１閾値以上となった場合に電磁弁３０を開制御し、これにより継手本体１８ａからオリフィス７０の排水量を上回る量の加圧水をシリンダ室６２に供給し、リターンスプリング６８に抗してピストン６４を図示の右側にストロークし、弁体６６を弁座から離して一斉開放弁６０を開駆動し、分岐部１８ｂに設けたスプリンクラーヘッド２０から水道水を放水して消火する。
【００６３】
この消火により感熱部４０の検出温度が低下し、制御部４６は検出温度が第１閾値より小さい第２閾値以下となった場合に電磁弁３０を閉制御する。電磁弁３０を閉制御すると、シリンダ室６２に対する加圧水の供給が停止し、シリンダ室６２の加圧水はオリフィス７０を通って排水管１０ｃに流れ、シリンダ室６２の加圧水を抜くことで、リターンスプリング６８によりピストン６４を介して弁体６６を弁座に当接して閉駆動し、スプリンクラーヘッド２０からの放水を停止する。
【００６４】
（一斉開放弁によるメリット）
図４の実施形態でスプリンクラーヘッド２０からの放水開始と放水停止に一斉開放弁６０を設けた場合には、電磁弁３０は一斉開放弁６０のピストンシリンダ駆動機構を開閉駆動するに必要な少ない水量を制御することから小型化でき、電磁弁３０を小型化しても、一斉開放弁６０の開閉駆動によりスプリンクラーヘッド２０からの放水に必要な水量の開閉を確実に可能とする。
【００６５】
［本発明の変形例］
（ラッチ式の電磁弁）
上記の実施形態でスプリンクラーヘッドからの放水を開閉制御する制御弁として、ラッチ式の電磁弁を設けてもよい。ラッチ式の電磁弁は、オン信号による電磁ソレノイドの通電で弁体を備えた駆動軸を開位置に移動して例えば永久磁石に吸着して保持し、また、オフ信号による電磁ソレノイドの逆方向の通電により駆動軸を永久磁石による吸着保持から引き外して解除することで閉位置に移動するラッチ構造を備えており、電磁弁を開位置に保持するために電磁ソレノイドに通電続ける必要がないため、蓄電部の電流消費を抑えることができる。
（制御弁）
上記の実施形態は、スプリンクラーヘッドからの放水を開閉制御する制御弁として電磁弁を使用しているが、モータ駆動により開閉する電動弁を設けても良い。
【００６６】
（発電部）
上記の実施形態は、配管に設けた複数のＴ型継手１８の全てに発電部２６と蓄電部４４を設けているが、発電部による発電電力が十分に得られる場合には、同じ配管に設けている複数のＴ型継手の内の少なくとも１台にだけ発電部と蓄電部を設け、他の発電部と蓄電部を設けていないＴ型継手に電力を供給するようにしても良い。
【００６７】
（その他）
また、本発明はその目的と利点を損なうことのない適宜の変形を含み、更に上記の実施形態に示した数値による限定は受けない。
【符号の説明】
【００６８】
１０：上水道配管
１０ａ：一般設備配管
１０ｂ：消火設備配管
１８：Ｔ型継手
１８ａ：継手本体
１８ｂ：分岐部
１８ｃ：継手筐体
２０：スプリンクラーヘッド
２１：カバー
２２：末端試験弁
２４，７０：オリフィス
２６：発電部
２８：水車
３０：電磁弁
３２，６６：弁体
３６：天井
３８：取付穴
４０：感熱部
４２：回路収納部
４４：蓄電部
４６：制御部
４８：表示灯
６０：一斉開放弁
６２：シリンダ室
６４：ピストン
６８：リターンスプリング
【図１】
0006400455.tif 000002
【図２】
0006400455.tif 000003
【図３】
0006400455.tif 000004
【図４】
0006400455.tif 000005